(57)【要約】【課題】機体の高さを高くした乗用の長ネギ管理機であって、成長した長ネギを支障なく跨いで作業できるようにすると共に、機体全体の重心を低く設計して転倒の危険をなくすこと【解決手段】三角形に走行ベルトを掛け渡した三角クローラにより機体を高く形成し、機体の正面前方には２組のロータリー部を左右に並べて配備する。そして三角クローラと機体を連結する支脚フレームに重錘を固定し、この重錘を三角クローラの内側で且つ走行ベルトの幅内に位置させる。【選択図】　　図１
2004121081.tif 000002
【特許請求の範囲】
【請求項１】
前後の転輪とその上方の駆動軸を三角形の頂点に配置しこれらに走行ベルトを掛け渡して三角クローラを形成し、
この三角クローラを機体の左右両側に固定した支脚フレームに一対設置し、機体には運転席とエンジンを載せ、エンジンには三角クローラの前記駆動軸を連結し、
そして機体の正面前方に２組のロータリー部を左右に並べて配し、これらのロータリー部を機体に軸着した昇降ロッドの先端に取り付けてロータリー部の高さを昇降自在にすると共に、前記エンジンの動力を昇降ロッドを経由してロータリー部に伝動するようにし、
しかして前記左右の支脚フレームにそれぞれ重錘を取り付け、これらの重錘を三角クローラの内側で且つ走行ベルトの幅内に位置させてなる長ネギ用管理機。
【発明の詳細な説明】
【０００１】
【発明の属する技術分野】
本発明は、長ネギの管理作業に適した農業機械の発明である。
【０００２】
【従来の技術】
長ネギは溝に苗を植え付けて、背丈が伸びたら株元に土寄せを行う。土寄せは収穫するまでに通常３〜５回行う。
このような煩雑な管理作業を、従来は歩行型の管理機で行っていたため、労力を要し能率も悪かった。
【０００３】
【発明が解決しようとする課題】
本発明は、従来の歩行型の管理機を乗用型に改良したものである。
ところが乗用型の場合、必然、長ネギの上を跨ぐような形態となるため、跨いだ機体が長ネギに触れないように機底を高く設計する必要がある。その結果、乗用型は重心が高く不安定になり勝ちで、転倒の危険が大きいという問題がある。
そこで本発明は機体が高くとも重心の位置を低く設計し、みだりに転倒しないように工夫して安全性を向上することを目的とする。
【０００４】
【課題を解決するための手段】
本発明の長ネギ用管理機では、前後の転輪とその上方の駆動軸を三角形の頂点に配置し、これらに走行ベルトを掛け渡して三角クローラを形成し、この三角クローラを機体の左右両側に固定した支脚フレームに一対設ける。
機体には運転席とエンジンを載せ、エンジンには三角クローラの前記駆動軸を連結する。
そして機体の正面前方に、２組のロータリー部を左右に並べて配し、これらのロータリー部を機体に軸着した昇降ロッドの先端に取り付けてロータリー部の高さを昇降自在にすると共に、前記エンジンの動力を昇降ロッドを経由してロータリー部に伝動するようにする。
そして前記左右の支脚フレームにそれぞれ重錘を取り付け、これらの重錘を三角クローラの内側で且つ走行ベルトの幅内に位置させる。
【０００５】
【発明の実施の形態】
本発明の詳細を添付図面により説明する。
図１は本発明の実施形態の全体側面図、図２はその平面図、図３は背面図、図４は正面図、図５は図１のＡ−Ａ線に沿う要部の拡大断面図である。
１はエンジン２と運転席３を載せた管理機の機体で、その左右両側に支脚フレーム４を固定する。
支脚フレーム４の前後方向に渡した底辺４ａの前後に転輪５、６を取り付け、またそれらの上方に駆動輪７を取り付ける。そして三角形の頂点に配置した転輪５、６及び駆動輪７に走行ベルト８を掛け渡して、三角クローラ９、９を支脚フレーム４に左右１対形成する。走行ベルト８は周知の構造で、周面に滑り止めのラグを有し、中央には駆動輪７等の爪が嵌る孔が一列に形成されている。１０は動力伝動部で、これを介し駆動輪７をエンジン２に連結する。
１１はロータリー部で、横軸１２に耕耘爪１３を放射状に固定し、その上方を薄い金属板製のカバー１４で覆った構成で、機体１の正面で且つ三角クローラ９、９の前方に、左右並べて２組設ける。１５はタイヤを巻いた支持輪で、各ロータリー部１１の前方中央に軸位置を調節自在に取り付け、その重量を支持する。１６はくさび状の溝切り体で、各ロータリー部１１の後方中央に固定する。
各ロータリー部１１は昇降ロッド１７の先端に取り付け、昇降ロッド１７の基部は機体１の側面に軸着し、基部を支点に上下に回動自在とする。昇降ロッド１７は中空構造で内部に伝動軸を有し、エンジン２の動力をこの伝動軸を経てロータリー部１１の横軸１２に伝動する。作業せずに路上などを走行するときは、図示しない昇降機により左右の昇降ロッド１７を同時に上方に回動し、ロータリー部１１を地表面より高く浮上するが、作業中は昇降ロッド１７はフリーになる。従ってロータリー部１１は支持輪１５により地表面の凹凸に応じ左右独立して自由に昇降する。
【０００６】
１８は鉛のような重い金属板製の重錘で、三角クローラ９の内側の支脚フレーム４に左右同じ重さになるように取り付ける。重錘１８は適当枚数の金属板ｍから構成され、図５に示すように、支脚フレーム４に溶接した断面コ字形の支持体１９に２枚の金属板ｍを連結ピン２０を挿通して取り付け、その上にさらに金属板ｍを重ね、全体をボルト２１で締めて固定する。重錘１８の重さは金属板ｍの枚数を増減して調節する。重量が足りない場合は、重ねた金属板ｍを前後に２組以上設ける。
左右の重錘１８は三角クローラ９の内側で且つ走行ベルト８の幅内に収まるように取り付ける。図１には、重錘１８が三角クローラ９の内側に位置していることが、また図２、３及び図５には、重錘１８が走行ベルト８の幅内に位置しているが、それぞれ示されている。
【０００７】
しかしてロータリー部１１を地上に降ろし、支持輪１５の位置を上げてロータリー部１１を地表面より沈め、この状態でロータリー部１１を回転しながら三角クローラ９を駆動して前進し、植付け用の溝を２条同時に掘り続ける。
こうして掘った溝の中に長ネギの苗を移植したら、溝ピッチの半分だけ機体１を横に平行移動して１対の三角クローラ９を溝の左右に位置させ、機体１が溝の上を跨ぐような体勢で溝に沿い前進し、ロータリー部１１により溝の左右から土を掛ける。
苗が次第に生長し地上部の背丈が伸びたら、時期をみて再度畝を跨ぐように機体１を走行して、ロータリー部１１により左右から長ネギの周りに土寄せを行う。土寄せ作業は作物の成長に合わせて収穫まで３〜５回行う。適宜に土寄せすることで茎の白い長ネギが収穫できる。
【０００８】
作業中、作業者は運転席３から正面の作付けした畝を見ながら機体を操縦できるので、作業しやすい。また三角クローラ９は踏圧が車輪の場合より小さく、しかもロータリー部１１が形成した溝底を走行するので、クローラの踏み跡が目立たない。乗用型のため、歩行型に比べて労力が格別に軽減するのはいうまでもない。また２機のロータリー部１１で左右から土寄せできるので能率が良い。
また機体１が高く左右の三角クローラ９の間も広く空いているため、長ネギの背丈が伸びても余裕をもって跨ぐことができ、長ネギの先を折ったりせずに作業ができる。
機体１が高くとも重錘１８を有するため、全体の重心は低く、転倒の危険が非常に少ない。
そのうえ三角クローラ９は内側の空間の高さが充分なため、嵩張る重錘１８も支障なく設置でき、大きな重量を確保できる。
また重錘１８は走行ベルト８の幅内に収まっているため、作業の邪魔にならない。
【０００９】
【発明の効果】
これを要するに本発明によれば、三角形に走行ベルトを掛け渡した三角クローラにより機体を高くでき、そのため背丈の高い長ネギも支障なく跨いで作業できると同時に、三角クローラは内側に広い空間が確保できるため、そこに重錘を設置して機体全体の重心を低くして転倒の危険を少なくできるという優れた効果を奏する。
【図面の簡単な説明】
【図１】は本発明の実施形態の全体側面図である。
【図２】はその平面図である。
【図３】は背面図である。
【図４】は正面図である。
【図５】は図１のＡ−Ａ線に沿う要部の拡大断面図である。
【符号の説明】
１　機体
２　エンジン
３　運転席
４　支脚フレーム
８　走行ベルト
９　三角クローラ
１１　ロータリー部
１７　昇降ロッド
１８　重錘
ｍ　金属板
【図１】
2004121081.tif 000003
【図２】
2004121081.tif 000004
【図３】
2004121081.tif 000005
【図４】
2004121081.tif 000006
【図５】
2004121081.tif 000007